(57)【要約】 【課題】  曲を記録装置のディスクに書き込んでいる途中でキャンセルした場合、キャンセルした曲以前までの曲の書き込みを行うために、バックアップした管理情報を保存するメモリ等のハ−ド資源が必要であった。 【解決手段】  音声データおよび音声データの管理情報が入力されるＮｅｔＭＤ制御手段２１と、入力された音声データの管理情報を保持し、かつ記録媒体２４に音声データを記録するシステム制御手段２３と、記録媒体２４に記録途中にキャンセルした場合、制御手段２３に保持された管理情報に基づき記録媒体２４に書き込まれたキャンセル対象となった音声データを消去するＥＲＡＳＥ通信手段２２５とを備えている。【選択図】  図１
2006040324.tif 000002
【特許請求の範囲】
【請求項１】
Ｎｅｔ配信される音声データを記録する記録装置であって、前記音声データおよび前記音声データの管理情報が入力される入力部と、入力された前記音声データの管理情報を保持し、かつ記録媒体に前記音声データを記録する制御部と、前記音声データの記録途中にキャンセルされた場合前記制御部に保持された管理情報に基づき前記記録媒体に書き込まれたキャンセル対象となった前記音声データを消去する消去通信手段とを備えた記録装置。
【請求項２】
消去通信手段は入力部から入力される音声データが終了したことに応じて、前記記録媒体に書き込まれた音声データの一部を消去する請求項１記載の記録装置。
【請求項３】
消去通信手段は制御部に含まれる請求項１または請求項２記載の記録装置。
【請求項４】
Ｎｅｔ配信される音声データを記録する記録装置であって、前記音声データおよび前記音声データの管理情報が入力される入力部と、前記音声データの管理情報を保持し、かつ記録媒体に前記音声データを記録する制御部と、
前記音声データの記録途中にキャンセルされた場合前記入力部から入力される前記音声データが終了したことに応じて前記記録媒体に書き込まれた前記音声データの消去信号を出力する消去通信手段と、前記消去通信手段から出力された前記消去信号を受け、前記制御部の保持する前記管理情報に基づき、前記記録媒体に書き込まれたキャンセル対象となった前記音声データを消去する消去処理手段とを備えた記録装置。
【請求項５】
消去通信手段および消去処理手段は制御部に含まれる請求項４記載の記録装置。
【請求項６】
Ｎｅｔ配信される音声データを記録する記録方法であって、前記音声データおよび前記音声データの管理情報を入力する工程と、前記音声データの管理情報を保持する工程と、記録媒体に前記音声データを記録する工程と、前記音声データの記録途中にキャンセルされた場合前記管理情報に基づき、前記記録媒体に書き込まれたキャンセル対象となった前記音声データを消去する工程とを含む記録方法。
【請求項７】
Ｎｅｔ配信される音声データを記録する記録方法であって、前記音声データおよび前記音声データの管理情報を入力する工程と、前記音声データの管理情報を保持する工程と、記録媒体に前記音声データを記録する工程と、前記音声データの記録途中にキャンセルされた場合に入力される前記音声データが終了したことを検知する工程と、前記管理情報に基づき前記記録媒体に書き込まれたキャンセル対象となった前記音声データを消去する工程とを含む記録方法。
【発明の詳細な説明】
【技術分野】
【０００１】
本発明は、管理情報をもとに記録再生制御を行う記録再生装置を含む記録装置および方法に関するものである。詳しくは、曲を記録装置の記録媒体に書き込んでいる途中でキャンセルした場合、特別に用意されたバックアップ管理情報を保存するメモリ等のハ−ド資源を使用せずに、ＥＲＡＳＥ機能が、管理情報が保存されているメモリエリアや記録媒体に作用することによって、キャンセルした曲は書き込まず、キャンセルした曲以前までの曲の書き込みが容易に実現できる記録装置および方法に関するものである。
【背景技術】
【０００２】
近年、パソコンとＭＤ機器間をＵＳＢケ−ブルで接続して、パソコンからＭＤ機器内のディスクに曲を書き込むＮｅｔＭＤが利用されるようになってきた。
【０００３】
通常、ＮｅｔＭＤによりパソコンからＭＤ機器のディスクに曲を書き込むシステムでは、ＭＤ機器内部にディスクから読み出した管理情報と管理情報のバックアップデータを保存するために必要なメモリエリアが用意されている。ＮｅｔＭＤが利用される前は、間違って別の曲を消去してしまっても、消去前の状態が復元できるように、管理情報のバックアップデータを保存することが考案されていた（特許文献１参照）。
【０００４】
ところで、ＮｅｔＭＤによりパソコンからＭＤ機器のディスクに曲を書き込む場合、書き込み中の曲情報等は、管理情報が保存してあるメモリエリアに書き込まれ、ディスクに曲の書き込みが終了すれば、管理情報が保存してあるメモリエリアの内容をディスクに書き込んでいると同時に、バックアップ管理情報を保存するメモリエリアにも書き込んでいる。
【０００５】
それは、ＮｅｔＭＤによりパソコンからＭＤ機器のディスクに曲を書き込み中にキャンセルした場合、その曲は書き込まず、その曲以前までの曲の書き込みを可能にしなくてはいけない。そのために、バックアップ管理情報が保存してあるメモリエリアの内容を、管理情報が保存してあるメモリエリアに書き込み、その管理情報が保存してあるメモリエリアの内容をディスクに書き込んでいる。つまり、バックアップ管理情報が保存してあるメモリエリアの内容をディスクに書き込んでいる。
【０００６】
以下、従来の記録再生装置と制御方法について説明する。
【０００７】
図１０は従来の記録再生装置の構成図であり、１はパソコン、２は記録再生装置、２１はＮｅｔＭＤ制御手段、２２はユ−ザ−インタ−フェイス制御手段、２３はシステム制御手段、２４は記録装置（媒体）、２２１は送受信手段Ａ、２２２は送受信手段Ｂ、２２３はバックアップ管理情報を保存したメモリ、２２４はバックアップ管理情報通信手段Ａ、２３１は送受信手段Ｃ、２３２は管理情報を保存したメモリ、２３３はバックアップ管理情報通信手段Ｂである。
【０００８】
また、図１１は従来の記録再生装置で、正常なディスク書き込み時におけるパソコン、ＮｅｔＭＤ制御手段、ユ−ザ−インタ−フェイス制御手段、システム制御手段、記録装置との各間のフロ−制御の実例であり、図１２は従来の記録再生装置で、キャンセル時におけるパソコン、ＮｅｔＭＤ制御手段、ユ−ザ−インタ−フェイス制御手段、システム制御手段、記録装置との各間のフロ−制御の実例である。図中、Record Object Ctrlはレコードオブジェクトコントロール、Record Object Respはレコードオブジェクトレスポンス、Check Out Ctrlはチェックアウトコントロール、 Check Out Respはチェックアウトレスポンス、UTOC0 Read Reqは管理情報読み込みリクエスト、UTOC0 Writeは管理情報書き込み、Authentication Endは認証終了、Authentication End Respは認証終了レスポンス、NetMD TerminateはNetMD終了、NetMD Terminate Resp はNetMD終了レスポンスである。
【０００９】
以上のように構成された記録再生装置について、以下にその動作を説明する。
【００１０】
まず、パソコン１に保存してある曲を記録再生装置２に記録する方法を説明する。パソコン１は、ＮｅｔＭＤ制御手段２１、ユ−ザ−インタ−フェイス制御手段２２の送受信手段Ａ２２１、送受信手段Ｂ２２２、システム制御手段２３の送受信手段Ｃ２３１を使用し、今から記録再生装置２に記録する曲の情報である「ＴｒａｃｋＮＯ」や「ＴｒａｃｋＭｏｄｅ」などの情報を、管理情報を保存したメモリ２３２に書き込む。そして、パソコン１は、ＮｅｔＭＤ制御手段２１を使用して、曲デ−タを記録装置２４に書き込む。同時に、パソコン１は、ＮｅｔＭＤ制御手段２１、ユ−ザ−インタ−フェイス制御手段２２の送受信手段Ａ２２１、送受信手段Ｂ２２２、システム制御手段２３の送受信手段Ｃ２３１を使用し、「ａｄｄｒｅｓｓ」や「Ｌｉｎｋ−Ｐ」などの情報を、管理情報を保存したメモリ２３２に書き込んでいく。そして、曲デ−タの記録装置２４への書き込みが終了すれば、管理情報を保存したメモリ２３２の内容を、システム制御手段２３のバックアップ管理情報通信手段Ｂ２３３、送受信手段Ｃ２３１、ユ−ザ−インタ−フェイス制御手段２２の送受信手段Ｂ２２２、バックアップ管理情報通信手段Ａ２２４を使用し、バックアップ管理情報を保存したメモリ２２３にバックアップ保存する。パソコン１に保存してある曲を複数曲分、記録再生装置２に記録する場合は、上記方法を繰り返す。そして、最後に管理情報を保存したメモリ２３２の内容を記録装置２４に書き込み、記録が終了する。
【００１１】
ところで、以上のような方法で、パソコン１に保存してある曲を記録再生装置２に記録している途中でキャンセルした場合の方法について説明する。キャンセルした場合は、バックアップ管理情報を保存したメモリ２２３の内容を、ユ−ザ−インタ−フェイス制御手段２２のバックアップ管理情報通信手段Ａ２２４、送受信手段Ｂ２２２、システム制御手段２３の送受信手段Ｃ２３１、バックアップ管理情報通信手段Ｂ２３３を使用し、管理情報を保存したメモリ２３２に書き込み、そして、管理情報を保存したメモリ２３２の内容を記録装置２４に書き込み、制御が終了する。
【特許文献１】特開平９−２１３０５８号公報
【発明の開示】
【発明が解決しようとする課題】
【００１２】
しかしながら、上記の従来の構成では、キャンセル処理だけのために、バックアップ管理情報を保存するためのメモリエリアを確保しなくてはならず、システムのコストアップになっている。また、バックアップ管理情報を保存したメモリエリアの内容は、管理情報を保存したメモリエリアの内容をバックアップするために通信を使用するので、多くの通信時間がシステムの負担となっている。
【００１３】
本発明は、上記課題を解決するもので、ＮｅｔＭＤによりパソコンからＭＤ機器のディスクに曲を書き込んでいる途中にキャンセルした場合、バックアップ管理情報が保存されているメモリエリアを使用せず、その代わりに管理情報やディスクに作用する消去(ＥＲＡＳＥ)通信手段や、管理情報上で編集する消去(ＥＲＡＳＥ)処理手段を含むことにより、ハード資源の削減や記録時間の短縮が図れる記録装置および方法を提供することを目的とする。
【課題を解決するための手段】
【００１４】
この目的を達成するために、本発明の記録装置は、Ｎｅｔ配信される音声データを記録する記録装置であって、音声データおよび音声データの管理情報が入力される入力部と、入力された音声データの管理情報を保持し、かつ記録媒体に音声データを記録する制御部と、音声データの記録途中にキャンセルされた場合制御部に保持された管理情報に基づき記録媒体に書き込まれたキャンセル対象となった音声データを消去する消去通信手段とを備えたものである。
【００１５】
上記構成において、消去通信手段は入力部から入力される音声データが終了したことに応じて、記録媒体に書き込まれた音声データの一部を消去する。
【００１６】
上記構成において、消去通信手段は制御部に含まれる。
【００１７】
本発明の別の記録装置は、Ｎｅｔ配信される音声データを記録する記録装置であって、音声データおよび音声データの管理情報が入力される入力部と、音声データの管理情報を保持し、かつ記録媒体に音声データを記録する制御部と、音声データの記録途中にキャンセルされた場合入力部から入力される音声データが終了したことに応じて記録媒体に書き込まれた音声データの消去信号を出力する消去通信手段と、消去通信手段から出力された消去信号を受け、制御部の保持する管理情報に基づき、記録媒体に書き込まれたキャンセル対象となった音声データを消去する消去処理手段とを備えたものである。
【００１８】
上記構成において、消去通信手段および消去処理手段は制御部に含まれる。
【００１９】
本発明の記録方法は、Ｎｅｔ配信される音声データを記録する記録方法であって、音声データおよび音声データの管理情報を入力する工程と、音声データの管理情報を保持する工程と、記録媒体に音声データを記録する工程と、音声データの記録途中にキャンセルされた場合管理情報に基づき、記録媒体に書き込まれたキャンセル対象となった音声データを消去する工程とを含むものである。
【００２０】
本発明の別の記録方法は、Ｎｅｔ配信される音声データを記録する記録方法であって、音声データおよび音声データの管理情報を入力する工程と、音声データの管理情報を保持する工程と、記録媒体に音声データを記録する工程と、音声データの記録途中にキャンセルされた場合に入力される音声データが終了したことを検知する工程と、管理情報に基づき記録媒体に書き込まれたキャンセル対象となった音声データを消去する工程とを含むものである。
【発明の効果】
【００２１】
本発明の記録装置および記録方法によれば、バックアップ管理情報が保存されているメモリエリアを使用せず、その代わりに簡易なＥＲＡＳＥ通信手段やＥＲＡＳＥ処理手段を使用することにより、パソコンからＭＤ機器のディスクに曲を書き込んでいる途中にキャンセルした場合、その曲はディスクへ書き込まれず、その曲以前までの曲の書き込みをシステムの負荷を軽減して可能にすることができる。
【００２２】
このように、管理情報をもとに記録再生制御を行う記録再生装置を含む記録装置等において、バックアップ管理情報を保存するための特別なメモリエリアを用いないので、曲の書き込みキャンセルが可能となり、ハ−ド資源の削減ができるという優れた効果が得られる。
【００２３】
また、管理情報を、バックアップ管理情報を保存するためのメモリエリアにデ−タを通信する必要がなくなるので、システムの通信負荷が削減でき、曲を書き込む時間が短縮できるという効果も得られる。
【発明を実施するための最良の形態】
【００２４】
（実施の形態１）
図１は、本発明の第１の実施形態における記録再生装置の構成を示すものである。図１において、２２５はＥＲＡＳＥ１（消去）通信手段Ａである。
【００２５】
尚、１はパソコン、２は記録再生装置、２１は音声データや管理情報の入力部となるＮｅｔＭＤ制御手段、２２はユ−ザ−インタ−フェイス制御手段、２３はシステム制御手段、２４は記録装置（記録媒体）、２２１は送受信手段Ａ、２２２は送受信手段Ｂ、２３１は送受信手段Ｃ、２３２は管理情報を保存したメモリで、これらは従来例の構成と同じである。
【００２６】
このように、この記録再生装置は、ディスク記録に必要な曲情報等が書かれている管理情報をパソコンから受け取り、ユ−ザ−インタ−フェイス制御手段２２へ通信しているＮｅｔＭＤ制御手段２１と、管理情報を保存するメモリ２３２のエリアを持ち、その管理情報を管理制御しているシステム制御手段２３と、管理情報やディスクに作用するＥＲＡＳＥ通信手段２２５を設けたユ−ザ−インタ−フェイス制御手段２２の構成を有している。
【００２７】
まず、正常なディスク書き込み時における動作を、図１と図２を用いて説明をする。
【００２８】
図２は、本発明の第１の実施形態で、正常なディスク書き込み時におけるパソコン、ＮｅｔＭＤ制御手段、ユ−ザ−インタ−フェイス制御手段、システム制御手段、記録装置との各間のフロ−制御の実例を示すものである。
【００２９】
パソコン１は、ＮｅｔＭＤ制御手段２１、ユ−ザ−インタ−フェイス制御手段２２の送受信手段Ａ２２１、送受信手段Ｂ２２２、システム制御手段２３の送受信手段Ｃ２３１を使用し、今から記録再生装置２に記録する曲の情報である「ＴｒａｃｋＮＯ」や「ＴｒａｃｋＭｏｄｅ」などの情報を、管理情報を保存したメモリ２３２に書き込む。そして、パソコン１は、ＮｅｔＭＤ制御手段２１を使用して、曲デ−タを記録装置２４に書き込む。同時に、パソコン１は、ＮｅｔＭＤ制御手段２１、ユ−ザ−インタ−フェイス制御手段２２の送受信手段Ａ２２１、送受信手段Ｂ２２２、システム制御手段２３の送受信手段Ｃ２３１を使用し、「ａｄｄｒｅｓｓ」や「Ｌｉｎｋ−Ｐ」などの情報を、管理情報を保存したメモリ２３２に書き込んでいく。パソコン１に保存してある曲を複数曲分、記録再生装置２に記録する場合は、上記方法を繰り返す。そして、最後に管理情報を保存したメモリ２３２の内容を記録装置２４に書き込み、制御が終了する。以上のように曲デ−タの記録装置２４への書き込みが終了後、管理情報を保存したメモリの内容を、バックアップ管理情報を保存したメモリにバックアップ保存する必要がない。
【００３０】
次に、キャンセルした場合の動作を図１と図３と図４を用いて説明をする。
【００３１】
図３は、発明の第１の実施形態で、キャンセル時におけるパソコン、ＮｅｔＭＤ制御手段、ユ−ザ−インタ−フェイス制御手段、システム制御手段、記録装置との各間のフロ−制御の実例を示すものである。
【００３２】
図４は、本発明の第１の実施形態における制御方法の工程図を示すものである。
【００３３】
パソコン１に保存してある曲を記録再生装置２に記録している時にキャンセルした場合は、これにより音声データが終了したことに応じてキャンセルした時の管理情報を保存したメモリ２３２の内容を、記録装置２４のディスクに書き込む。つまり、記録装置２４のディスクに書き込まれた最後の曲は、キャンセルされるまでの一部分的な曲として、音声データの一部として書き込まれる。そして、ユ−ザ−インタ−フェイス制御手段２２のＥＲＡＳＥ１通信手段Ａ２２５は、ユ−ザ−インタ−フェイス制御手段２２の送受信手段Ｂ２２２、システム制御手段２３の送受信手段Ｃ２３１を使用して、記録装置２４のディスクに書き込まれている管理情報を、管理情報を保存したメモリ２３２に読み込んで、管理情報の最後の曲を削除し、そしてその管理情報を記録装置２４のディスクに書き込む。
【００３４】
（実施の形態２）
図５は、本発明の第２の実施形態における記録再生装置の構成を示すものである。図５において、１はパソコン、２は記録再生装置、２１はＮｅｔＭＤ制御手段、２４は記録装置、２３２は管理情報を保存したメモリで、以上は図１の構成と同様なものである。図１の構成と異なるのは、ユ−ザ−インタ−フェイス制御手段２２、システム制御手段２３、送受信手段Ａ２２１、送受信手段Ｂ２２２、ＥＲＡＳＥ１通信手段Ａ２２５、送受信手段Ｃ２３１を削除し、ト−タル制御手段Ａ２５、送受信手段Ｄ２３４、ＥＲＡＳＥ１通信手段Ｂ２３５を設けた点である。
【００３５】
上記のように構成された記録再生装置について、以下にその動作を説明する。
【００３６】
パソコン１は、ＮｅｔＭＤ制御手段２１、ト−タル制御手段Ａ２５の送受信手段Ｄ２３４を使用し、今から記録再生装置２に記録する曲の情報である「ＴｒａｃｋＮＯ」や「ＴｒａｃｋＭｏｄｅ」などの情報を、管理情報を保存したメモリ２３２に書き込む。そして、パソコン１は、ＮｅｔＭＤ制御手段２１を使用して、曲デ−タを記録装置２４に書き込む。同時に、パソコン１は、ＮｅｔＭＤ制御手段２１、ト−タル制御手段Ａ２５の送受信手段Ｄ２３４を使用し、「ａｄｄｒｅｓｓ」や「Ｌｉｎｋ−Ｐ」などの情報を、管理情報を保存したメモリ２３２に書き込む。パソコン１に保存してある曲を複数曲分、記録再生装置２に記録する場合は、上記方法を繰り返す。そして、最後に管理情報を保存したメモリ２３２の内容を、記録装置２４に書き込み終了する。以上のように曲デ−タの記録装置２４への書き込みが終了後、管理情報を保存したメモリの内容を、バックアップ管理情報を保存したメモリにバックアップ保存する必要がない。
【００３７】
次に、キャンセルした場合の動作について、以下に説明する。
【００３８】
パソコン１に保存してある曲を記録再生装置２に記録している時にキャンセルした場合は、キャンセルした時の管理情報を保存したメモリ２３２の内容を、記録装置２４のディスクに書き込む。つまり、記録装置２４のディスクに書き込まれた最後の曲は、キャンセルされるまでの一部分的な曲として書き込まれる。そして、ト−タル制御手段Ａ２５のＥＲＡＳＥ１通信手段Ｂ２３５は、ト−タル制御手段Ａ２５の送受信手段Ｄ２３４を使用して、記録装置２４のディスクに書き込まれている管理情報を、管理情報を保存したメモリ２３２に読み込んで、管理情報の最後の曲を削除し、そして、その管理情報を記録装置２４のディスクに書き込む。
【００３９】
（実施の形態３）
図６は、本発明の第３の実施形態における記録再生装置の構成を示すものである。図６において、１はパソコン、２は記録再生装置、２１はＮｅｔＭＤ制御手段、２２はユ−ザ−インタ−フェイス制御手段、２３はシステム制御手段、２４は記録装置、２２１は送受信手段Ａ、２２２は送受信手段Ｂ、２３１は送受信手段Ｃ、２３２は管理情報を保存したメモリで、以上は図１の構成と同様なものである。図１の構成と異なるのは、ＥＲＡＳＥ１通信手段Ａ２２５を削除し、ＥＲＡＳＥ２通信手段Ａ２２６、ＥＲＡＳＥ２処理手段Ａ２３７を設けた点である。すなわち、この記録再生装置は、システム制御手段２３に、管理情報上で編集するＥＲＡＳＥ処理手段２３７を持った構成を有している。
【００４０】
まず、正常なディスク書き込み時における動作は、本発明の第１の実施形態で説明した通りである。
【００４１】
次に、キャンセルした場合の動作を図３と図７と図８を用いて説明をする。
【００４２】
図７は、本発明の第３の実施形態で、キャンセル時におけるパソコン、ＮｅｔＭＤ制御手段、ユ−ザ−インタ−フェイス制御手段、システム制御手段、記録装置との各間のフロ−制御の実例を示すものである。
【００４３】
図８は、本発明の第３の実施形態における制御方法の工程図を示すものである。
【００４４】
パソコン１に保存してある曲を記録再生装置２に記録している時にキャンセルした場合は、キャンセルした時の管理情報が、管理情報を保存したメモリ２３２に保存される。そしてユ−ザ−インタ−フェイス制御手段２２のＥＲＡＳＥ２通信手段Ａ２２６は、ユ−ザ−インタ−フェイス制御手段２２の送受信手段Ｂ２２２、システム制御手段２３の送受信手段Ｃ２３１を使用して、管理情報を保存したメモリ２３２に対して、キャンセルした曲を削除するように、ＥＲＡＳＥ２処理手段Ａ２３７に作用させる。その作用により、ＥＲＡＳＥ２処理手段Ａ２３７は、管理情報の編集を行い、キャンセルした曲を削除する。そして、編集された管理情報を記録装置２４のディスクに書き込む。
【００４５】
（実施の形態４）
図９は、本発明の第４の実施形態における記録再生装置の構成を示すものである。図９において、１はパソコン、２は記録再生装置、２１はＮｅｔＭＤ制御手段、２４は記録装置、２３２は管理情報を保存したメモリで、以上は図３の構成と同様なものである。図３の構成と異なるのは、ユ−ザ−インタ−フェイス制御手段２２、システム制御手段２３、送受信手段Ａ２２１、送受信手段Ｂ２２２、ＥＲＡＳＥ２通信手段Ａ２２６、送受信手段Ｃ２３１を削除し、ト−タル制御手段Ｂ２６、送受信手段Ｄ２３４、ＥＲＡＳＥ２通信手段Ｂ２３６、ＥＲＡＳＥ２処理手段Ｂ２３８を設けた点である。
【００４６】
上記のように構成された記録再生装置について、以下にその動作を説明する。
【００４７】
パソコン１は、ＮｅｔＭＤ制御手段２１、ト−タル制御手段Ｂ２６の送受信手段Ｄ２３４を使用し、今から記録再生装置２に記録する曲の情報である「ＴｒａｃｋＮＯ」や「ＴｒａｃｋＭｏｄｅ」などの情報を、管理情報を保存したメモリ２３２に書き込む。そして、パソコン１は、ＮｅｔＭＤ制御手段２１を使用して、曲デ−タを記録装置２４に書き込む。同時に、パソコン１は、ＮｅｔＭＤ制御手段２１、ト−タル制御手段Ｂ２６の送受信手段Ｄ２３４を使用し、「ａｄｄｒｅｓｓ」や「Ｌｉｎｋ−Ｐ」などの情報を、管理情報を保存したメモリ２３２に書き込んでいく。パソコン１に保存してある曲を複数曲分、記録再生装置２に記録する場合は、上記方法を繰り返す。そして、最後に管理情報を保存したメモリ２３２の内容を記録装置２４に書き込み、制御が終了する。以上のように曲デ−タの記録装置２４への書き込みが終了後、管理情報を保存したメモリの内容を、バックアップ管理情報を保存したメモリにバックアップ保存する必要がない。
【００４８】
次に、キャンセルした場合の動作について、以下に説明する。
【００４９】
パソコン１に保存してある曲を記録再生装置２に記録している時にキャンセルした場合は、キャンセルした時の管理情報が、管理情報を保存したメモリ２３２に保存される。そして、ト−タル制御手段Ｂ２６のＥＲＡＳＥ２通信手段Ｂ２３６は、ト−タル制御手段Ｂ２６の送受信手段Ｄ２３４を使用して、管理情報を保存したメモリ２３２に対して、キャンセルした曲を削除するように、ＥＲＡＳＥ２処理手段Ｂ２３８に作用させる。その作用によりＥＲＡＳＥ２処理手段Ｂ２３８は、管理情報の編集を行い、キャンセルした曲を削除する。そして、編集された管理情報を記録装置２４のディスクに書き込む。
【００５０】
なお、音声データが終了したことを検知する工程はトータル制御手段Ｂ２６により行う。
【産業上の利用可能性】
【００５１】
本発明に係る記録装置および方法は、ハード資源の削減や記録時間の短縮が図れるという効果があり、ＮｅｔＭＤによりパソコンからＭＤ機器のディスクに曲を書き込むシステム等の記録装置および方法等として有用である。
【図面の簡単な説明】
【００５２】
【図１】本発明の第１の実施形態における記録再生装置の構成図である。
【図２】本発明の第１および第３の実施形態で、正常なディスク書き込み時におけるパソコン、ＮｅｔＭＤ制御手段、ユ−ザ−インタ−フェイス制御手段、システム制御手段、記録装置との各間のフロ−制御の実例を示す図である。
【図３】本発明の第１の実施形態で、キャンセル時におけるパソコン、ＮｅｔＭＤ制御手段、ユ−ザ−インタ−フェイス制御手段、システム制御手段、記録装置との各間のフロ−制御の実例を示す図である。
【図４】本発明の第１の実施形態における制御方法の工程図である。
【図５】本発明の第２の実施形態における記録再生装置の構成図である。
【図６】本発明の第３の実施形態における記録再生装置の構成図である。
【図７】本発明の第３の実施形態で、キャンセル時におけるパソコン、ＮｅｔＭＤ制御手段、ユ−ザ−インタ−フェイス制御手段、システム制御手段、記録装置との各間のフロ−制御の実例を示す図である。
【図８】本発明の第３の実施形態における制御方法の工程図である。
【図９】本発明の第４の実施形態における記録再生装置の構成図である。
【図１０】従来の記録再生装置の構成図である。
【図１１】従来の記録再生装置で、正常なディスク書き込み時におけるパソコン、ＮｅｔＭＤ制御手段、ユ−ザ−インタ−フェイス制御手段、システム制御手段、記録装置との各間のフロ−制御の実例を示す図である。
【図１２】従来の記録再生装置で、キャンセル時におけるパソコン、ＮｅｔＭＤ制御手段、ユ−ザ−インタ−フェイス制御手段、システム制御手段、記録装置との各間のフロ−制御の実例を示す図である。
【符号の説明】
【００５３】
１  パソコン
２  記録再生装置
２１  ＮｅｔＭＤ制御手段
２２  ユ−ザ−インタ−フェイス制御手段
２３  システム制御手段
２４  記録装置
２５  ト−タル制御手段Ａ
２６  ト−タル制御手段Ｂ
２２１  送受信手段Ａ
２２２  送受信手段Ｂ
２２３  バックアップ管理情報を保存したメモリ
２２４  バックアップ管理情報通信手段Ａ
２２５  ＥＲＡＳＥ１通信手段Ａ
２２６  ＥＲＡＳＥ２通信手段Ａ
２３１  送受信手段Ｃ
２３２  管理情報を保存したメモリ
２３３  バックアップ管理情報通信手段Ｂ
２３４  送受信手段Ｄ
２３５  ＥＲＡＳＥ１通信手段Ｂ
２３６  ＥＲＡＳＥ２通信手段Ｂ
２３７  ＥＲＡＳＥ２処理手段Ａ
２３８  ＥＲＡＳＥ２処理手段Ｂ
【図１】
2006040324.tif 000003
【図２】
2006040324.tif 000004
【図３】
2006040324.tif 000005
【図４】
2006040324.tif 000006
【図５】
2006040324.tif 000007
【図６】
2006040324.tif 000008
【図７】
2006040324.tif 000009
【図８】
2006040324.tif 000010
【図９】
2006040324.tif 000011
【図１０】
2006040324.tif 000012
【図１１】
2006040324.tif 000013
【図１２】
2006040324.tif 000014